(57)【要約】【課題】  コンテンツにバイオメトリクス情報を電子透かしとして挿入し、コンテンツ管理システムを提供することを目的とする。【解決手段】  コンテンツ管理システムは、コンテンツ作成者が使用するコンテンツ作成者端末からコンテンツを受信するコンテンツ送受信手段と、コンテンツ作成者端末からコンテンツ作成者のバイオメトリクス情報を受信するバイオメトリクス情報受信手段と、受信したバイオメトリクス情報を任意の二値で表現し、二値イメージを作成するバイオメトリクス情報二値化手段と、コンテンツにバイオメトリクス情報に基づく電子透かしの挿入を行うバイオメトリクス情報書込手段と、を有しており、電子透かしの挿入は、コンテンツ内で、作成した二値イメージと同じ大きさの領域を設定し、その設定した領域内のピクセルのうち、作成した二値イメージでバイオメトリクス情報の形状を含むピクセルと同位置のピクセルの色データを、所定の色変更値に変更する、コンテンツ管理システムである。【選択図】  図１
2005094066.tif 000002
【特許請求の範囲】
【請求項１】
コンテンツの認証管理を行うコンテンツ管理システムであって、
前記コンテンツ管理システムは、
前記コンテンツ作成者が使用するコンテンツ作成者端末からコンテンツを受信するコンテンツ送受信手段と、
前記コンテンツ作成者端末から前記コンテンツ作成者のバイオメトリクス情報を受信するバイオメトリクス情報受信手段と、
前記受信したバイオメトリクス情報を任意の二値で表現し、二値イメージを作成するバイオメトリクス情報二値化手段と、
前記コンテンツにバイオメトリクス情報に基づく電子透かしの挿入を行うバイオメトリクス情報書込手段と、を有しており、
前記電子透かしの挿入は、
前記コンテンツ内で、前記作成した二値イメージと同じ大きさの領域を設定し、その設定した領域内のピクセルのうち、前記作成した二値イメージでバイオメトリクス情報の形状を含むピクセルと同位置のピクセルの色データを、所定の色変更値に変更する、
ことを特徴とするコンテンツ管理システム。
【請求項２】
コンテンツの認証管理を行うコンテンツ管理システムであって、
前記コンテンツ管理システムは、
前記コンテンツ作成者が使用するコンテンツ作成者端末からコンテンツを受信するコンテンツ送受信手段と、
前記コンテンツ作成者端末から前記コンテンツ作成者のバイオメトリクス情報を受信するバイオメトリクス情報受信手段と、
前記受信したバイオメトリクス情報を任意の二値で表現することで二値イメージを作成し、前記作成した二値イメージを所定の数に分割するバイオメトリクス情報二値化手段と、
前記分割したバイオメトリクス情報に基づく電子透かしの挿入を前記コンテンツに行うバイオメトリクス情報書込手段と、を有しており、
前記電子透かしの挿入は、
前記コンテンツ内で、前記分割した二値イメージと同じ大きさの領域を設定し、その設定した領域内のピクセルのうち、前記分割した二値イメージでバイオメトリクス情報の形状を含むピクセルと同位置のピクセルの色データを、所定の色変更値に変更する、
ことを特徴とするコンテンツ管理システム。
【請求項３】
前記バイオメトリクス情報二値化手段は、
前記受信したバイオメトリクス情報又は前記分割したバイオメトリクス情報のうち、バイオメトリクス情報上にあるピクセルはバイオメトリクス情報があるとして認識される値をピクセルの値とし、バイオメトリクス情報上にないピクセルはバイオメトリクス情報がないとして認識される値をピクセルの値とすることで、二値イメージを作成する、
ことを特徴とする請求項１又は請求項２に記載のコンテンツ管理システム。
【請求項４】
前記バイオメトリクス情報書込手段は、
前記受信したコンテンツをセクター毎の領域に分割した後に、前記セクター内で、前記作成した二値イメージと同じ大きさの領域を設定し、その設定した領域内のピクセルのうち、前記作成した二値イメージでバイオメトリクス情報の形状を含むピクセルと同位置のピクセルの色データを、所定の色変更値に変更する、
ことを特徴とする請求項１又は請求項２に記載のコンテンツ管理システム。
【請求項５】
前記バイオメトリクス情報書込手段は、
前記分割したセクターのうち、任意の一つのセクター内で、前記作成したバイオメトリクス情報の二値イメージと同じ大きさの領域を設定し、その設定した領域内のピクセルのうち、前記作成した二値イメージでバイオメトリクス情報の形状を含むピクセルと同位置のピクセルの色データを、所定の色変更値に変更する、ことでバイオメトリクス情報に基づく前記電子透かしの挿入を行う、
ことを特徴とする請求項４に記載のコンテンツ管理システム。
【請求項６】
前記バイオメトリクス情報書込手段は、
前記分割したセクターのうち、任意の一つのセクター内に複数のバイオメトリクス情報の挿入を行うにあたり、前記作成した複数のバイオメトリクス情報の二値イメージと同じ大きさの領域を各々設定し、その設定した領域内のピクセルのうち、前記作成した二値イメージでバイオメトリクス情報の形状を含むピクセルと同位置のピクセルの色データを、所定の色変更値に各々の領域で変更する、ことで複数のバイオメトリクス情報に基づく前記電子透かしの挿入を行う、
ことを特徴とする請求項４に記載のコンテンツ管理システム。
【請求項７】
前記バイオメトリクス情報書込手段は、
前記分割したセクターのうち、任意の二以上のセクター内で、前記作成したバイオメトリクス情報の二値イメージと同じ大きさの領域を設定し、その設定した領域内のピクセルのうち、前記作成した二値イメージでバイオメトリクス情報の形状を含むピクセルと同位置のピクセルの色データを、所定の色変更値に変更する、ことでバイオメトリクス情報に基づく前記電子透かしの挿入を行う、
ことを特徴とする請求項４に記載のコンテンツ管理システム。
【請求項８】
前記バイオメトリクス情報書込手段は、
前記分割したセクターのうち、任意の二以上のセクター内に各々異なるバイオメトリクス情報の挿入を行うにあたり、前記作成したバイオメトリクス情報の二値イメージと同じ大きさの領域を各々設定し、その設定した領域内のピクセルのうち、前記作成した二値イメージでバイオメトリクス情報の形状を含むピクセルと同位置のピクセルの色データを、所定の色変更値に各々変更する、ことでバイオメトリクス情報に基づく前記電子透かしの挿入を行う、
ことを特徴とする請求項４に記載のコンテンツ管理システム。
【請求項９】
前記コンテンツ管理システムは、
前記コンテンツ送受信手段でコンピュータ端末から受信したコンテンツに於いて、前記コンテンツのピクセルの色データを抽出し、抽出したピクセル毎の色データと認証対象とするコンテンツ作成者の色変更値とを比較し、一致する場合には、前記ピクセルの値をバイオメトリクス情報の一部であると認識する値とし、一致しない場合には、前記ピクセルの値をバイオメトリクス情報の一部ではないと認識する値とすることで、前記コンテンツの二値イメージを作成し、前記作成した二値イメージと認証対象とするコンテンツ作成者のバイオメトリクス情報の二値イメージとを比較し、一致する場合には認証対象とするコンテンツ作成者のコンテンツとして認証し、一致しない場合には認証対象とするコンテンツ作成者のコンテンツとしては認証しない、コンテンツ認証手段を、
更に有することを特徴とする請求項１に記載のコンテンツ管理システム。
【請求項１０】
前記コンテンツ管理システムは、
前記コンテンツ送受信手段でコンピュータ端末から受信したコンテンツを所定のセクター毎に分割し、前記分割した各セクターに於いて、前記コンテンツのピクセルの色データを抽出し、抽出したピクセル毎の色データと認証対象とするコンテンツ作成者の色変更値とを比較し、一致する場合には、前記ピクセルの値をバイオメトリクス情報の一部であると認識する値とし、一致しない場合には、前記ピクセルの値をバイオメトリクス情報の一部ではないと認識する値とすることで、前記コンテンツの二値イメージを作成し、前記作成した二値イメージと認証対象とするコンテンツ作成者のバイオメトリクス情報の二値イメージとを比較し、所定数以上のセクターで、前記二値イメージが一致する場合には認証対象とするコンテンツ作成者のコンテンツとして認証し、一致しない場合には認証対象とするコンテンツ作成者のコンテンツとしては認証しない、コンテンツ認証手段を、
更に有することを特徴とする請求項１に記載のコンテンツ管理システム。
【請求項１１】
前記コンテンツ管理システムは、
前記コンテンツ送受信手段でコンピュータ端末から受信したコンテンツに於いて、前記コンテンツのピクセルの色データを抽出し、抽出したピクセル毎の色データと認証対象とするコンテンツ作成者の色変更値とを比較し、一致する場合には、前記ピクセルの値をバイオメトリクス情報の一部であると認識する値とし、一致しない場合には、前記ピクセルの値をバイオメトリクス情報の一部ではないと認識する値とすることで、前記コンテンツの二値イメージを作成し、前記作成した二値イメージと認証対象とするコンテンツ作成者のバイオメトリクス情報の二値イメージとを比較し、前記バイオメトリクス情報の二値イメージの一部と一致する場合には認証対象とするコンテンツ作成者のコンテンツとして認証し、一致しない場合には認証対象とするコンテンツ作成者のコンテンツとしては認証しない、コンテンツ認証手段を、
更に有することを特徴とする請求項２に記載のコンテンツ管理システム。
【請求項１２】
前記コンテンツ管理システムは、
前記コンテンツ送受信手段でコンピュータ端末から受信したコンテンツを所定のセクター毎に分割し、前記分割した各セクターに於いて、前記コンテンツのピクセルの色データを抽出し、抽出したピクセル毎の色データと認証対象とするコンテンツ作成者の色変更値とを比較し、一致する場合には、前記ピクセルの値をバイオメトリクス情報の一部であると認識する値とし、一致しない場合には、前記ピクセルの値をバイオメトリクス情報の一部ではないと認識する値とすることで、前記コンテンツの二値イメージを作成し、前記作成した二値イメージと認証対象とするコンテンツ作成者のバイオメトリクス情報の二値イメージとを比較し、所定数以上のセクターで、前記二値イメージと前記バイオメトリクス情報の二値イメージの一部とが一致する場合には認証対象とするコンテンツ作成者のコンテンツとして認証し、一致しない場合には認証対象とするコンテンツ作成者のコンテンツとしては認証しない、コンテンツ認証手段を、
更に有することを特徴とする請求項２に記載のコンテンツ管理システム。
【請求項１３】
前記バイオメトリクス情報は、
コンテンツ作成者の指紋、掌紋、虹彩、網膜、静脈のいずれかである、
ことを特徴とする請求項１から請求項１２のいずれかに記載のコンテンツ管理システム。
【発明の詳細な説明】
【技術分野】
【０００１】
本発明は、コンテンツを誰が作成したかを識別することが可能なように、コンテンツに指紋、掌紋、虹彩、網膜、静脈等の作成者の身体的特徴（以下、バイオメトリクス情報）を電子透かしとして挿入することで、不正な改竄等の防止、認証を行うことを可能にするコンテンツ管理システムに関する。
【背景技術】
【０００２】
コンピュータ技術の発達に伴って、デジタル化されたコンテンツがネットワーク上を流通し取引されているが、その一方で問題となっているのが、不正コピー、不正改竄の問題である。
【０００３】
これらの問題を解消する為に、コンテンツに電子透かしを挿入することで、コンテンツの作成者を特定し、改竄防止を行うことが行われている。そしてこのような電子透かしを用いた従来の技術としては、下記特許文献１に開示している技術がある。
【特許文献１】特開平１０−１４５７５６号公報
【発明の開示】
【発明が解決しようとする課題】
【０００４】
特許文献１に開示の発明では、不特定対数のユーザにコンテンツを送信する場合に、カードモジュールを用いることで、コンテンツの提供を受けるユーザの識別データの埋め込み処理を行った後に、コンテンツを提供するシステムである。しかし、この発明の場合、ユーザはコンテンツの提供を受ける場合に、カードモジュールを用いることが必ず必要となり、また他人がカードモジュールを不正使用することによって、なりすましを行うことも可能となる。
【課題を解決するための手段】
【０００５】
本発明者らは、上述の問題点に鑑み、バイオメトリクス情報をコンテンツに電子透かしとして挿入することで、不正な改竄等の防止、認証を行うことを可能にするコンテンツ管理システムを発明した。
【０００６】
第１の発明は、コンテンツの認証管理を行うコンテンツ管理システムであって、前記コンテンツ管理システムは、前記コンテンツ作成者が使用するコンテンツ作成者端末からコンテンツを受信するコンテンツ送受信手段と、前記コンテンツ作成者端末から前記コンテンツ作成者のバイオメトリクス情報を受信するバイオメトリクス情報受信手段と、前記受信したバイオメトリクス情報を任意の二値で表現し、二値イメージを作成するバイオメトリクス情報二値化手段と、前記コンテンツにバイオメトリクス情報に基づく電子透かしの挿入を行うバイオメトリクス情報書込手段と、を有しており、前記電子透かしの挿入は、前記コンテンツ内で、前記作成した二値イメージと同じ大きさの領域を設定し、その設定した領域内のピクセルのうち、前記作成した二値イメージでバイオメトリクス情報の形状を含むピクセルと同位置のピクセルの色データを、所定の色変更値に変更する、コンテンツ管理システムである。
【０００７】
また第１の発明では、バイオメトリクス情報全体をコンテンツに挿入するが、バイオメトリクス情報を分割して挿入しても良い。即ち、コンテンツの認証管理を行うコンテンツ管理システムであって、前記コンテンツ管理システムは、前記コンテンツ作成者が使用するコンテンツ作成者端末からコンテンツを受信するコンテンツ送受信手段と、前記コンテンツ作成者端末から前記コンテンツ作成者のバイオメトリクス情報を受信するバイオメトリクス情報受信手段と、前記受信したバイオメトリクス情報を任意の二値で表現することで二値イメージを作成し、前記作成した二値イメージを所定の数に分割するバイオメトリクス情報二値化手段と、前記分割したバイオメトリクス情報に基づく電子透かしの挿入を前記コンテンツに行うバイオメトリクス情報書込手段と、を有しており、前記電子透かしの挿入は、前記コンテンツ内で、前記分割した二値イメージと同じ大きさの領域を設定し、その設定した領域内のピクセルのうち、前記分割した二値イメージでバイオメトリクス情報の形状を含むピクセルと同位置のピクセルの色データを、所定の色変更値に変更するコンテンツ管理システムとしても良い。
【０００８】
そして前記バイオメトリクス情報二値化手段は、前記受信したバイオメトリクス情報又は前記分割したバイオメトリクス情報のうち、バイオメトリクス情報上にあるピクセルはバイオメトリクス情報があるとして認識される値をピクセルの値とし、バイオメトリクス情報上にないピクセルはバイオメトリクス情報がないとして認識される値をピクセルの値とすることで、二値イメージを作成する、コンテンツ管理システムである。
【０００９】
この発明によって、コンテンツに直接バイオメトリクス情報に基づく電子透かしを挿入することが可能となる。
【００１０】
前記バイオメトリクス情報書込手段は、前記受信したコンテンツをセクター毎の領域に分割した後に、前記セクター内で、前記作成した二値イメージと同じ大きさの領域を設定し、その設定した領域内のピクセルのうち、前記作成した二値イメージでバイオメトリクス情報の形状を含むピクセルと同位置のピクセルの色データを、所定の色変更値に変更する、コンテンツ管理システムとすると良い。
【００１１】
このように、電子透かしを挿入する際には、コンテンツの任意の箇所に挿入するのではなく、所定のセクター毎に分割した後に挿入することで、電子透かしを認証する際に、当該コンテンツ作成者のバイオメトリクス情報の二値イメージとのパターンマッチングでマッチングする回数を減少させ、処理の高速化を実現することが出来る。
【００１２】
又、前記バイオメトリクス情報書込手段は、前記分割したセクターのうち、任意の一つのセクター内で、前記作成したバイオメトリクス情報の二値イメージと同じ大きさの領域を設定し、その設定した領域内のピクセルのうち、前記作成した二値イメージでバイオメトリクス情報の形状を含むピクセルと同位置のピクセルの色データを、所定の色変更値に変更する、ことでバイオメトリクス情報に基づく前記電子透かしの挿入を行う、コンテンツ管理システムである。
【００１３】
一つのセクターに一のバイオメトリクス情報に基づく電子透かしを挿入することで、第三者がバイオメトリクス情報の挿入位置を検出することを困難にすることが可能となる。
【００１４】
或いは、前記バイオメトリクス情報書込手段は、前記分割したセクターのうち、任意の一つのセクター内に複数のバイオメトリクス情報の挿入を行うにあたり、前記作成した複数のバイオメトリクス情報の二値イメージと同じ大きさの領域を各々設定し、その設定した領域内のピクセルのうち、前記作成した二値イメージでバイオメトリクス情報の形状を含むピクセルと同位置のピクセルの色データを、所定の色変更値に各々の領域で変更する、ことで複数のバイオメトリクス情報に基づく前記電子透かしの挿入を行う、コンテンツ管理システムである。
【００１５】
一つのセクターに一つのバイオメトリクス情報に基づく電子透かしを挿入する以外にも、一つのセクターに複数の電子透かしを挿入しても良い。これによって、第三者がコンテンツの微細な変更を行った場合にも、電子透かしが変更される可能性が高まり、これによって、認証の信頼性を向上させることが可能となる。
【００１６】
若しくは、前記バイオメトリクス情報書込手段は、前記分割したセクターのうち、任意の二以上のセクター内で、前記作成したバイオメトリクス情報の二値イメージと同じ大きさの領域を設定し、その設定した領域内のピクセルのうち、前記作成した二値イメージでバイオメトリクス情報の形状を含むピクセルと同位置のピクセルの色データを、所定の色変更値に変更する、ことでバイオメトリクス情報に基づく前記電子透かしの挿入を行う、コンテンツ管理システムである。
【００１７】
複数のセクターに、各セクター毎に一つ又は複数のバイオメトリクス情報を挿入しても良い。これによって、第三者がコンテンツの微細な変更を行った場合にも、電子透かしが変更される可能性が高まり、これによって、認証の信頼性を更に向上させることが可能となる。
【００１８】
更に、前記バイオメトリクス情報書込手段は、前記分割したセクターのうち、任意の二以上のセクター内に各々異なるバイオメトリクス情報の挿入を行うにあたり、前記作成したバイオメトリクス情報の二値イメージと同じ大きさの領域を各々設定し、その設定した領域内のピクセルのうち、前記作成した二値イメージでバイオメトリクス情報の形状を含むピクセルと同位置のピクセルの色データを、所定の色変更値に各々変更する、ことでバイオメトリクス情報に基づく前記電子透かしの挿入を行う、コンテンツ管理システムである。
【００１９】
又、セクターには、異なるバイオメトリクス情報の挿入を行っても良い。これによって、認証の信頼性を更に向上させることが可能となる。
【００２０】
前記コンテンツ管理システムは、前記コンテンツ送受信手段でコンピュータ端末から受信したコンテンツに於いて、前記コンテンツのピクセルの色データを抽出し、抽出したピクセル毎の色データと認証対象とするコンテンツ作成者の色変更値とを比較し、一致する場合には、前記ピクセルの値をバイオメトリクス情報の一部であると認識する値とし、一致しない場合には、前記ピクセルの値をバイオメトリクス情報の一部ではないと認識する値とすることで、前記コンテンツの二値イメージを作成し、前記作成した二値イメージと認証対象とするコンテンツ作成者のバイオメトリクス情報の二値イメージとを比較し、一致する場合には認証対象とするコンテンツ作成者のコンテンツとして認証し、一致しない場合には認証対象とするコンテンツ作成者のコンテンツとしては認証しない、コンテンツ認証手段を、更に有するコンテンツ管理システムである。
【００２１】
又は、前記コンテンツ管理システムは、前記コンテンツ送受信手段でコンピュータ端末から受信したコンテンツを所定のセクター毎に分割し、前記分割した各セクターに於いて、前記コンテンツのピクセルの色データを抽出し、抽出したピクセル毎の色データと認証対象とするコンテンツ作成者の色変更値とを比較し、一致する場合には、前記ピクセルの値をバイオメトリクス情報の一部であると認識する値とし、一致しない場合には、前記ピクセルの値をバイオメトリクス情報の一部ではないと認識する値とすることで、前記コンテンツの二値イメージを作成し、前記作成した二値イメージと認証対象とするコンテンツ作成者のバイオメトリクス情報の二値イメージとを比較し、所定数以上のセクターで、前記二値イメージが一致する場合には認証対象とするコンテンツ作成者のコンテンツとして認証し、一致しない場合には認証対象とするコンテンツ作成者のコンテンツとしては認証しない、コンテンツ認証手段を、更に有するコンテンツ管理システムとしても良い。
【００２２】
このように上述のコンテンツ認証手段を用いることで、コンテンツがコンテンツ作成者によって作成されたものであるか否かを認証することが可能となる。
【００２３】
分割したバイオメトリクス情報をコンテンツに挿入する場合には、前記コンテンツ管理システムは、前記コンテンツ送受信手段でコンピュータ端末から受信したコンテンツに於いて、前記コンテンツのピクセルの色データを抽出し、抽出したピクセル毎の色データと認証対象とするコンテンツ作成者の色変更値とを比較し、一致する場合には、前記ピクセルの値をバイオメトリクス情報の一部であると認識する値とし、一致しない場合には、前記ピクセルの値をバイオメトリクス情報の一部ではないと認識する値とすることで、前記コンテンツの二値イメージを作成し、前記作成した二値イメージと認証対象とするコンテンツ作成者のバイオメトリクス情報の二値イメージとを比較し、前記バイオメトリクス情報の二値イメージの一部と一致する場合には認証対象とするコンテンツ作成者のコンテンツとして認証し、一致しない場合には認証対象とするコンテンツ作成者のコンテンツとしては認証しない、コンテンツ認証手段を、更に有するコンテンツ管理システムである。
【００２４】
分割したバイオメトリクス情報をコンテンツに挿入する場合には、上述の他にも、前記コンテンツ管理システムは、前記コンテンツ送受信手段でコンピュータ端末から受信したコンテンツを所定のセクター毎に分割し、前記分割した各セクターに於いて、前記コンテンツのピクセルの色データを抽出し、抽出したピクセル毎の色データと認証対象とするコンテンツ作成者の色変更値とを比較し、一致する場合には、前記ピクセルの値をバイオメトリクス情報の一部であると認識する値とし、一致しない場合には、前記ピクセルの値をバイオメトリクス情報の一部ではないと認識する値とすることで、前記コンテンツの二値イメージを作成し、前記作成した二値イメージと認証対象とするコンテンツ作成者のバイオメトリクス情報の二値イメージとを比較し、所定数以上のセクターで、前記二値イメージと前記バイオメトリクス情報の二値イメージの一部とが一致する場合には認証対象とするコンテンツ作成者のコンテンツとして認証し、一致しない場合には認証対象とするコンテンツ作成者のコンテンツとしては認証しない、コンテンツ認証手段を、更に有するコンテンツ管理システムとしても良い。
【００２５】
前記バイオメトリクス情報は、コンテンツ作成者の指紋、掌紋、虹彩、網膜、静脈のいずれかである、コンテンツ管理システムである。
【００２６】
これらは各個人毎に相違すると考えられているものである。バイオメトリクス情報としては、個人毎に相違しないものを用いても良いが、認証精度を高めるには、個人毎に異なるバイオメトリクス情報を用いることによって、誤認証を防ぐこととなる。
【発明の効果】
【００２７】
上述の発明によって、従来のようにカードモジュール等の他のハードウェアを使用することもないコンテンツ管理システムとすることが出来る。
【発明を実施するための最良の形態】
【００２８】
本発明のコンテンツ管理システム１は、バイオメトリクス情報受信手段２とバイオメトリクス情報二値化手段３とバイオメトリクス情報書込手段４とコンテンツ送受信手段５とバイオメトリクス情報データベース６とオリジナルコンテンツデータベース７と二次コンテンツデータベース８とを有している。尚、バイオメトリクス情報としては、上述のように、指紋、掌紋、虹彩、網膜、静脈等の作成者の身体的特徴を示す情報であれば如何なるものであっても良いが、本明細書では指紋の場合について説明する。尚、掌紋、虹彩、網膜、静脈等の場合であっても、その読み取ったバイオメトリクス情報の形状が相違するのみであるので、同様に実現可能である。
【００２９】
またコンテンツ管理システム１は、ネットワーク１１を介して当該コンテンツを作成するコンテンツ作成者端末９とデータの送受信が可能である。ネットワーク１１とは、インターネット等のオープンネットワーク、ＬＡＮ等のクローズドネットワーク、それらの組合せであるイントラネット等のいずれであっても良く、有線、無線の別も問わない。
【００３０】
コンテンツ作成者端末９は、通常のコンピュータ端末であれば良く、またコンテンツ作成者端末９には、コンテンツ作成者のバイオメトリクス情報を読み取るバイオメトリクス情報読取装置１０が接続されている。このバイオメトリクス情報読取装置１０でコンテンツ作成者のバイオメトリクス情報を読み取り、コンテンツ作成者端末９を介してコンテンツ管理システム１に、バイオメトリクス情報を送信する。バイオメトリクス情報読取装置１０は、指紋、掌紋、虹彩、網膜、静脈等を接触または非接触によって光学的手法等で読み取り、データ化する手段である。
【００３１】
コンテンツ管理システム１のバイオメトリクス情報受信手段２は、コンテンツ作成者端末９から送信された、バイオメトリクス情報を受信し、個人を識別する情報、例えば氏名、ＩＤ等と関連づけてバイオメトリクス情報をバイオメトリクス情報データベース６に格納する手段である。
【００３２】
バイオメトリクス情報二値化手段３は、バイオメトリクス情報受信手段２で受信したバイオメトリクス情報を、任意の二値（好適には黒（１）と白（０））の二値イメージに変換する手段である。図５にバイオメトリクス情報の二値化の概念図を示す。バイオメトリクス情報受信手段２で受信したバイオメトリクス情報が、図５（ａ）に示すような形状であったとする。そうすると、バイオメトリクス情報二値化手段３は、このバイオメトリクス情報のうち、指紋の形状に沿って、ピクセルの値を黒（１）または白（０）として二値イメージを作成する。つまり、バイオメトリクス情報は、ピクセル（画素）を単位とする所定の大きさを有するマトリックスで示されるので、その指紋の形状が存在するピクセルの値を黒（１）とし、指紋の形状が存在しないピクセルの値を白（０）とする。このようにマトリックス内の各ピクセルを黒（１）または白（０）の二値で表現することによって、バイオメトリクス情報がピクセル上で二値イメージとして表現されることとなる（図５（ｃ））。即ち、マトリックス内の黒（１）を示すピクセルに沿うと、バイオメトリクス情報の形状となる。尚、黒（１）、白（０）とはあくまでも一例であって、二値で示されるものであれば如何なる識別形態を用いても良い。
【００３３】
尚、バイオメトリクス情報二値化手段３が二値イメージを作成する際には、バイオメトリクス情報受信手段２で受信したバイオメトリクス情報と同じ大きさの二値イメージであっても良いし、受信したバイオメトリクス情報を所定の倍率で縮小、或いは拡大した大きさの二値イメージとしても良い。又、バイオメトリクス情報二値化手段３で作成した二値イメージを更に所定の倍率で縮小、拡大した二値イメージを作成することによって、コンテンツに挿入する為の二値イメージの大きさに柔軟性を持たせても良い。
【００３４】
バイオメトリクス情報書込手段４は、コンテンツ作成者端末９から受信したコンテンツに、バイオメトリクス情報二値化手段３で二値イメージ化したバイオメトリクス情報の形状に沿って、バイオメトリクス情報の二値イメージ（この二値イメージには、バイオメトリクス情報二値化手段３で作成した等倍率の二値イメージ、或いは所定の倍率で縮小、拡大した後の二値イメージをも含むものとする）をコンテンツに挿入する手段である。ここでバイオメトリクス情報を挿入するには、コンテンツを予め定められた所定値のセクター（セクターとは任意の大きさからなる領域をいう）毎に分割し、そのうち任意のセクターを選択し、バイオメトリクス情報を挿入すると良い。そして、選択したセクターは、図６に示すようにｍ×ｎのピクセルから成立しているので、そのセクター内の任意の箇所にバイオメトリクス情報の二値イメージを挿入する。そして二値イメージで黒（１）として識別されているピクセルの色データは、コンテンツ作成者が予め定められた所定の色データ（色変更値）に変更し、白（０）として識別されているピクセルの色データは何らの変更も加えずに、当初のコンテンツのままの色データとする。つまり、当該セクターに於いて、バイオメトリクス情報二値化手段３で作成した二値イメージと同じ大きさの領域を設定し、その設定した領域のピクセルのうち、二値イメージでバイオメトリクス情報の形状を含むとされるピクセル（上述の例では黒（１）のピクセル）と同位置のピクセルの色データを所定の色変更値に変更する。
【００３５】
このように二値化されたバイオメトリクス情報に基づいて色データを変更することで、バイオメトリクス情報の形状に沿って、コンテンツ作成者に定められた所定の色データ（色変更値）に変更されることとなる。つまり、コンテンツ作成者に定められた所定の色データ（色変更値）に沿うと、バイオメトリクス情報の形状となる。
【００３６】
このようにバイオメトリクス情報に基づく二値イメージをコンテンツに挿入したものを、二次コンテンツと称するが、バイオメトリクス情報書込手段４は、二次コンテンツを二次コンテンツデータベース８に格納する。
【００３７】
コンテンツ送受信手段５は、コンテンツ作成者端末９が作成したコンテンツ等をネットワーク１１を介して受信し、それをオリジナルコンテンツデータベース７に格納する手段である。尚本明細書に於いてコンテンツとは、著作権法で定められた著作物のみならず、単なるデジタルデータ、画像データ等、如何なるものであっても良い。その為、例えば電子カルテデータのように、業務で用いる書類のデータも含まれる。
【００３８】
尚、コンテンツ管理システム１の各手段、各データベースは、当該コンテンツ管理システム１を実現するコンピュータ、サーバ等のプログラム制御を行う制御部（図示せず）によって、制御されており、機能することは当然である。即ちＣＰＵやメモリ、ハードディスク等からなるコンピュータ、サーバ等を制御する制御部に各手段、各データベースがプログラムやデータベースとして搭載され、制御部からの指示によってデータが各手段、データベースとの間でやりとりされることで実現される。
【００３９】
また、ピクセルの色データ、または当該ピクセルがバイオメトリクス情報であるか否かの二値、或いはバイオメトリクス情報の二値イメージと一致するか否かの二値は、いずれも例えば二次元配列やポインタ等で値を記憶することで実現可能となる。つまり、例えば図５（ｃ）のバイオメトリクス情報の二値イメージの場合、９ピクセル×８ピクセルからなるマトリックスであるので、各ピクセルの値は９（ｍ）×８（ｎ）の二次元配列として、例えば、
ｐｉｘｅｌ［ｋ］［ｌ］＝０又は１（１≦ｋ≦ｍ、１≦ｌ≦ｎ｝
として値を格納しておけばよい。
【００４０】
更にコンテンツ管理システム１を実現するコンピュータ、サーバ等は、通常、ハードウェアとして具備される、モニター等の表示部、キーボード等の入力部等の他のデバイスを有していると良い。
【実施例１】
【００４１】
次に本発明のコンテンツ管理システム１を用いて、コンテンツにコンテンツ作成者のバイオメトリクス情報を挿入するプロセスの流れの一例を図２のフローチャート図、図１のシステム構成図とを用いて詳細に説明する。
【００４２】
まず、コンテンツを作成しコンテンツ管理システム１を用いることでバイオメトリクス情報を当該コンテンツに挿入することを希望するコンテンツ作成者は、自らのバイオメトリクス情報をバイオメトリクス情報読取装置１０で読み取らせ、コンテンツ作成者端末９からネットワーク１１を介してコンテンツ管理システム１に送信する（Ｓ１００）。この送信の際には、単にバイオメトリクス情報を送信するのみならず、当該コンテンツ作成者を識別する情報（コンテンツ作成者識別情報）、例えば氏名、ＩＤ等と併せて送信すると良い。またこの送信作業は、コンテンツ管理システム１を最初に使用する場合に行えば良く、二回目以降では行う必要はない。既にコンテンツ管理システム１にバイオメトリクス情報が格納しているからである。但し、新たなバイオメトリクス情報を送信する場合や格納されているバイオメトリクス情報を変更したい等の特別のニーズの際には行っても良い。
【００４３】
コンテンツ管理システム１のバイオメトリクス情報受信手段２は、コンテンツ作成者端末９から送信したバイオメトリクス情報とコンテンツ作成者識別情報とを受信し、それらを関連づけてバイオメトリクス情報データベース６に格納する（Ｓ１１０）。
【００４４】
バイオメトリクス情報二値化手段３は、バイオメトリクス情報受信手段２で受信したバイオメトリクス情報を、バイオメトリクス情報二値化手段３が、任意の二値（好適には黒（１）と白（０））の二値イメージに変換する。図５にバイオメトリクス情報の二値化の概念図を示す。バイオメトリクス情報受信手段２で受信したバイオメトリクス情報が、図５（ａ）に示すような形状であったとする。そうすると、バイオメトリクス情報二値化手段３は、このバイオメトリクス情報の指紋の形状と重複するピクセルの値を黒（１）または白（０）として二値イメージを作成する。つまり、バイオメトリクス情報は、ピクセルを単位とする所定の大きさを有するマトリックス内に存在するので、指紋の形状が存在するピクセルの値を黒（１）とし、指紋の形状が存在しないピクセルの値を白（０）とする。このようにマトリックス内の各ピクセルを黒（１）または白（０）の二値で表現することによって、バイオメトリクス情報が二値イメージとして表現されることとなる。即ち、マトリックス内の黒（１）を示すピクセルに沿うと、バイオメトリクス情報の形状となる
【００４５】
バイオメトリクス情報二値化手段３が作成した二値イメージは、バイオメトリクス情報データベース６に、当該コンテンツ作成者のコンテンツ作成者識別情報とバイオメトリクス情報とを関連づけて格納する（Ｓ１２０）。
【００４６】
バイオメトリクス情報書込手段４は、バイオメトリクス情報の二値イメージをコンテンツに挿入した場合に変更する色データである、色変更値（オリジナルのコンテンツの色データから、変更する色データ）を決定する（Ｓ１３０）。この色変更値は複数のコンテンツ作成者で共通の色変更値としても良いし、各コンテンツ作成者で異なる色変更値としても良い。又、色変更値は、コンテンツの作成者によって決定されても良い。
【００４７】
コンテンツ作成者は、バイオメトリクス情報からなる電子透かしを挿入するコンテンツをコンテンツ作成者端末９からネットワーク１１を介してコンテンツ管理システム１に送信し、コンテンツ管理システム１のコンテンツ送受信手段５は、それを受信し、受信したコンテンツをオリジナルコンテンツデータベース７に格納する（Ｓ１４０）。
【００４８】
バイオメトリクス情報書込手段４は、コンテンツ送受信手段５で受信したコンテンツを、所定の大きさのセクターに分割する（Ｓ１５０）。この場合のコンテンツの概念図を図７に示す。図７に示した例では、コンテンツをｍ×ｎ（ピクセル）からなるセクターに分割している図である。そして各セクターを構成するピクセルには、Ｒ（赤）Ｇ（緑）Ｂ（青）からなる三色の色データを含んでいる。
【００４９】
そしてバイオメトリクス情報書込手段４は、コンテンツをセクター毎に分割した後に、バイオメトリクス情報を挿入するセクターを選択する。そして選択したセクターのうち、任意の箇所に、バイオメトリクス情報データベース６に格納している、二値イメージになっているバイオメトリクス情報を挿入する（埋め込む）（Ｓ１６０）。つまり、セクター内の任意の箇所にバイオメトリクス情報を挿入することを決定した後、二値イメージとなっているマトリックスで黒（１）として識別されているピクセルと同位置のピクセルの色データを、コンテンツ作成者に予め定められた色変更値の色データに変更する。セクターにバイオメトリクス情報の二値イメージが挿入されたコンテンツの概念図を図６に示す。
【００５０】
このように、同一の色変更値の色データを有するピクセルを辿ることによって、コンテンツ作成者のバイオメトリクス情報を識別することが可能となる。
【００５１】
バイオメトリクス情報の二値イメージが挿入されたコンテンツ、即ち二次コンテンツをバイオメトリクス情報書込手段４は、二次コンテンツデータベース８に格納する。そして任意のユーザに対してコンテンツを提供する際には、オリジナルコンテンツデータベース７に格納しているコンテンツではなく、二次コンテンツデータベース８に格納している二次コンテンツを提供することによって、電子透かしを有するコンテンツを提供可能となる。
【実施例２】
【００５２】
実施例１のように作成したコンテンツが改竄等されていない正当なコンテンツであるか否かの認証を行う機能を有するコンテンツ管理システム１を図３に示す。コンテンツ管理システム１は、実施例１に加えて更にコンテンツ認証手段１２を有している。
【００５３】
コンテンツ認証手段１２は、コンピュータ端末１３からネットワーク１１を介して受信したコンテンツの認証を行う手段である。具体的には、当該コンテンツをコンテンツ送受信手段５で受信し、その受信したコンテンツを所定のセクター毎に分割し、分割したセクターに於けるピクセルの色データを抽出する。そして抽出した色データを、認証の対象とするコンテンツ作成者の色変更値と一致するか否かを調べ、一致した場合には、そのピクセルをバイオメトリクス情報の一部であると認識する。一方、一致しなかった場合にはそのピクセルはバイオメトリクス情報の一部ではないと認識する。バイオメトリクス情報の一部であると認識した場合には、例えばそのピクセルの値を「１」とし、一部ではないと認識した場合には、例えばそのピクセルの値を「０」とする。このように二値に置換することによって、セクターに於けるバイオメトリクス情報であるか否かの二値イメージが完成する。そしてこの二値イメージをコンテンツ内の全てのセクターに対して作成する。作成した各セクター毎の二値イメージと、バイオメトリクス情報データベース６に格納している当該コンテンツ作成者のバイオメトリクス情報とを、セクター毎にパターンマッチングすることによって、一つでも一致するセクターが存在する場合にはコンテンツ作成者のコンテンツであると認証し、一致するセクターが存在しなかった場合にはコンテンツ作成者のコンテンツではないとする（即ち認証不可とする）。この認証の概念図を図８に示す。
【００５４】
つまり、コンテンツ認証手段１２は、分割したセクターに於いて、図９（ａ）に示したバイオメトリクス情報の二値イメージで、図９（ｂ）のセクターとパターンマッチングを行い、このパターンが一致した場合には、コンテンツ作成者のコンテンツであると認証し、一致するセクターが存在しなかった場合にはコンテンツ作成者のコンテンツではないとする（即ち認証不可とする）。また、認証を行う際には、一致するセクターが一以上存在する場合に認証ＯＫとしても良いし、所定値以上、例えば過半数以上のセクターで一致した場合に認証ＯＫとしても良い。
【００５５】
つまり、セクター内のピクセルの色データと認証対象となるコンテンツ作成者の色変更値との比較を行った場合には、セクターの大きさ、ｍ×ｎピクセルの二次元配列を作成し、この二次元配列に１（一致）、０（不一致）の値を格納すればよい。そして格納した二次元配列とバイオメトリクス情報の二値イメージの二次元配列とを、セクター内に於いてパターンマッチングを行い、当該バイオメトリクス情報の二次元配列と同様の配列を有する部分を含むか否かで認証が行える。通常、バイオメトリクス情報の二値イメージは、バイオメトリクス情報のセクターよりも小さいので、この場合には、セクター内をバイオメトリクス情報の二値イメージの二次元配列で検索させ、配列のパターンが一致するか否かを調べればよい。
【００５６】
次に認証を行う場合のプロセスの流れの一例を図４のフローチャート図と図３のシステム構成図を用いて詳細に説明する。
【００５７】
コンテンツ管理システム１のコンテンツ送受信手段５は、認証を行うコンテンツをコンピュータ端末１３から受信する（Ｓ２００）。このコンピュータ端末１３はコンテンツ作成者端末９であっても良いし、他の第三者のコンピュータ端末１３であっても良い。
【００５８】
そして誰の作成したコンテンツであるかの認証を行うので、その認証対象となる者のバイオメトリクス情報を、バイオメトリクス情報受信手段２がコンピュータ端末１３から受信する（Ｓ２１０）。尚、バイオメトリクス情報をコンピュータ端末１３から受信しなくても、誰の認証を行うのかを識別する情報、例えば氏名、ＩＤ等を受信することによっても良い。この場合には、コンテンツ認証手段１２はその氏名、ＩＤ等に基づいてバイオメトリクス情報データベース６から当該氏名、ＩＤ等を有する者のバイオメトリクス情報の二値イメージを抽出することとなる。
【００５９】
またバイオメトリクス情報受信手段２でバイオメトリクス情報を受信した場合には、受信したバイオメトリクス情報の二値イメージをＳ１２０と同様にバイオメトリクス情報二値化手段３で作成し、それをコンテンツ認証手段１２で受信する。
【００６０】
次にコンテンツ認証手段１２は、受信したコンテンツを所定の大きさのセクター毎に分割する（Ｓ２２０）。このセクターには、便宜の為に各セクターに番号を割り当て、識別可能にしておくと良い。
【００６１】
そして各セクターに於いて（Ｓ２３０）、上述したようにピクセルの色データと当該認証の対象となるコンテンツ作成者の色変更値と一致するか否かの識別を、全てのセクター内のピクセルに対して行う（Ｓ２４０）。
【００６２】
まず、セクター内のピクセルから色データを抽出する（Ｓ２５０）。従って、例えばＲ＝（１１）１６、Ｇ＝（２２）１６、Ｂ＝（３３）１６を抽出することとなる。そしてこの抽出した色データと、認証対象となるコンテンツ作成者の色変更値（例えばＲ＝（ＦＦ）１６、Ｇ＝（６６）１６、Ｂ＝（ＡＡ）１６とする）とを比較し、一致する場合にはバイオメトリクス情報の一部として認識し、不一致の場合にはバイオメトリクス情報の一部ではないとして認識する。上述の例では、抽出した色データと色変更値とは異なるので、バイオメトリクス情報の一部ではなく、そのピクセルの値を「０」（一部ではない）とする。
【００６３】
一方、ピクセルの色データがＲ＝（ＦＦ）１６、Ｇ＝（６６）１６、Ｂ＝（ＡＡ）１６であった場合には、色変更値と一致することから、そのピクセルはバイオメトリクス情報の一部であると認識し、ピクセルの値を「１」（一部である）とする。
【００６４】
このようにセクター内の各ピクセルに対して色データと色変更値とのマッチング処理を行うことで、「１」または「０」からなるセクターの二値イメージが作成できる。これを全てのセクターに対して行う。
【００６５】
全てのセクターに於いてセクター毎の二値イメージした後に、Ｓ２１０で受信したバイオメトリクス情報に基づく二値イメージ、或いはバイオメトリクス情報データベース６から抽出した二値イメージとパターンマッチングを行う（Ｓ２９０）。図９（ａ）にはバイオメトリクス情報に基づく二値イメージ、図９（ｂ）にはセクター毎の二値イメージを示す。Ｓ２９０では、図９（ａ）の二値イメージが図９（ｂ）のセクター毎の二値イメージに含まれているか否かのパターンマッチングを行うこととなる。
【００６６】
このパターンマッチングの結果、一致するセクターが存在した場合には（Ｓ３１０）、認証ＯＫとし（Ｓ３２０）、一致するセクターが存在しなかった場合には、認証不可とする（Ｓ３３０）。そしてその認証結果をコンテンツ認証手段１２は、コンピュータ端末１３に対してネットワーク１１を介して送信することとなる。また、認証を行う際には、一致するセクターが一以上存在する場合に認証ＯＫとしても良いし、所定値以上、例えば過半数以上のセクターで一致した場合に認証ＯＫとしても良い。
【００６７】
つまり、コンテンツが第三者によってその内容が書き換えられている場合、バイオメトリクス情報は第三者にはどこに挿入されているかは分からないので、コンテンツ内のバイオメトリクス情報も併せて書き換えられる可能性が高い。そうすると、バイオメトリクス情報が認証できなければコンテンツの認証も出来ないので、正当なコンテンツの保護を図ることが可能となる。
【実施例３】
【００６８】
実施例１及び実施例２では、コンテンツ内に一つのバイトメトリクス情報を挿入する場合を示したが、複数のバイオメトリクス情報を挿入しても良い。この場合には、コンテンツから分割した複数のセクターを抽出し、その各セクターに一つずつバイオメトリクス情報を、上述と同様に挿入しても良いし、一つのセクターに複数のバイオメトリクス情報を挿入しても良い。認証を行う場合には、セクター毎の二値イメージとバイオメトリクス情報に基づく二値イメージとを、上述と同様にパターンマッチングすれば良い。
【実施例４】
【００６９】
更に、上述した実施形式の他にも、全てのセクターに一以上のバイオメトリクス情報を挿入しても良い。これによって、第三者がコンテンツの微細な書き換えを行った時であっても、バイオメトリクス情報が書き換えられてしまうので、認証を出来なくすることが可能となる。
【実施例５】
【００７０】
加えて、上述したバイオメトリクス情報では、一つのバイオメトリクス情報を分割し、それを一以上のセクターに一以上ずつ、上述の各実施例と同様に挿入しても良い。このように、一つのバイオメトリクス情報を分割し、各セクターには分割したバイオメトリクス情報を挿入することで、そのセキュリティを向上させることが可能となる。この場合には、バイオメトリクス情報受信手段２でバイオメトリクス情報を受信した後に、バイオメトリクス情報二値化手段３が、受信したバイオメトリクス情報の二値イメージを作成し、その二値イメージを所定の数に分割することで、分割した二値イメージを作成する。そしてその分割したバイトメトリクス情報の二値イメージをバイオメトリクス情報書込手段４でコンテンツに書き込みをすることとなる。また、逆に認証を行う際には、当該認証の対象となる者のバイオメトリクス情報の二値イメージと、コンテンツの二値イメージとをパターンマッチングし、バイオメトリクス情報の二値イメージの一部に一致する場合には認証ＯＫとし、一致しない場合には認証不可とすれば良い。
【００７１】
例えば、分割したバイオメトリクス情報の二値イメージをコンテンツに挿入する（電子透かしを挿入する）場合には、当該コンテンツに於いて、バイオメトリクス情報二値化手段３で作成した分割した二値イメージと同じ大きさの領域を設定し、その設定した領域内のピクセルのうち、当該分割した二値イメージでバイオメトリクス情報の形状を含むピクセルと同位置のピクセルの色データを、所定の色変更値に変更する、ことによって実現できる。
【００７２】
尚、上述の二値イメージの分割（バイオメトリクス情報の分割）とは、例えば図１０で示される二値イメージを、図１１のように単に分割する場合、図１２のように二値イメージを任意に複数の二値イメージに分割し、分割後の二値イメージを重ね合わせると一つの二値イメージになるようにする分割の場合のいずれであっても良い。
【００７３】
図１１の場合には、ｍ×ｎピクセルの二値イメージを、図１０の線α、β、γ、θの４線で区切り、分割した場合である。
【００７４】
図１２の場合には、図１０のｍ×ｎピクセルの二値イメージと同じ大きさ（即ちｍ×ｎピクセルの大きさ）の二値イメージＡ〜Ｃ（ここではＡ、Ｂ、Ｃの３つに分割する場合を示すがいくつであっても良い）を作成し、図１０の分割前の二値イメージのピクセルの値をｐｉｘｅｌ［ｋ］［ｌ］、分割後の二値イメージＡのピクセルの値をＡ［ｋ］［ｌ］、Ｂ［ｋ］［ｌ］、Ｃ［ｋ］［ｌ］とした際に、
ｐｉｘｅｌ［ｋ］［ｌ］＝（Ａ［ｋ］［ｌ］）ｏｒ（Ｂ［ｋ］［ｌ］）ｏｒ（Ｃ［ｋ］［ｌ］）（但し、１≦ｋ≦ｍ、１≦ｌ≦ｎ）
の論理演算式を満たすように二値イメージＡ〜Ｃの各ピクセルの値を設定する。
【００７５】
このように図１０の二値イメージを分割した後の二値イメージを図１２に示す。図１２の分割後の二値イメージでは、各ピクセルの値をｏｒで取っていることから、各分割後の二値イメージを一つの二値イメージとして重ね合わせると、図１０の二値イメージとなる。
【００７６】
尚、上述の論理演算式ではｏｒを用いているので分割後の二値イメージで同一のピクセルの値を「１」（指紋の形状が存在するピクセル）とすることが出来るが、論理演算子としてｏｒの代わりにｘｏｒ（Exclusive OR ：排他的論理和）を用いることで、分割後の二値イメージで同一のピクセルの値で重複して「１」とすることを排除することも出来る。
【実施例６】
【００７７】
尚、実施例１から実施例５では、コンテンツを各セクター毎に分割した後に、電子透かしの挿入、認証等を行った場合を説明しているが、コンテンツをセクター毎に分割せずに、コンテンツ全体を一つのセクターと見なして電子透かしの挿入、認証等を行っても良い。尚、この場合には、コンテンツ全体を一つのセクターと見なして処理するだけなので、上述と同様に実現可能である。
【００７８】
例えば、バイオメトリクス情報の二値イメージをコンテンツに挿入する（電子透かしを挿入する）場合には、当該コンテンツに於いて、バイオメトリクス情報二値化手段３で作成した二値イメージと同じ大きさの領域を設定し、その設定した領域内のピクセルのうち、当該作成した二値イメージでバイオメトリクス情報の形状を含むピクセルと同位置のピクセルの色データを、所定の色変更値に変更する、ことによって実現できる。
【００７９】
本発明に於ける各手段、データベースは、その機能が論理的に区別されているのみであって、物理上あるいは事実上は同一の領域を為していても良い。又データベースの代わりにデータファイルであっても良いことは言うまでもなく、データベースとの記載にはデータファイルをも含んでいる。
【００８０】
尚、本発明を実施するにあたり本実施態様の機能を実現するソフトウェアのプログラムを記録した記憶媒体をシステムに供給し、そのシステムのコンピュータが記憶媒体に格納されたプログラムを読み出し実行することによって実現されることは当然である。更にプログラムの他にも、この処理を実施する認証方法やこのプログラムを実施する認証装置、当該プログラムをネットワーク１１を介して伝送する伝送媒体、伝送方法等も本発明を構成することが可能である。
【００８１】
この場合、記憶媒体から読み出されたプログラム自体が前記した実施態様の機能を実現することとなり、そのプログラムを記憶した記憶媒体は本発明を当然のことながら構成することになる。
【００８２】
プログラムを供給する為の記憶媒体としては、例えば磁気ディスク、ハードディスク、光ディスク、光磁気ディスク、磁気テープ、不揮発性のメモリカード等を使用することができる。
【００８３】
又、コンピュータが読み出したプログラムを実行することにより、上述した実施態様の機能が実現されるだけではなく、そのプログラムの指示に基づき、コンピュータ上で稼働しているオペレーティングシステムなどが実際の処理の一部又は全部を行い、その処理によって前記した実施態様の機能が実現される場合も含まれることは言うまでもない。
【００８４】
更に、記憶媒体から読み出されたプログラムが、コンピュータに挿入された機能拡張ボードやコンピュータに接続された機能拡張ユニットに備わる不揮発性あるいは揮発性の記憶手段に書き込まれた後、そのプログラムの指示に基づき、機能拡張ボードあるいは機能拡張ユニットに備わる演算処理装置などが実際の処理の一部あるいは全部を行い、その処理により前記した実施態様の機能が実現される場合も含まれることは当然である。 
【産業上の利用可能性】
【００８５】
上述したように、本発明のコンテンツ管理システム１によって、不正な改竄等の防止、認証を行うことが可能となる。
【図面の簡単な説明】
【００８６】
【図１】本発明のシステム構成の一例を示すシステム構成図である。
【図２】本発明のバイオメトリクス情報の挿入を行うプロセスの流れの一例を示したフローチャート図である。
【図３】本発明のシステム構成の他の一例を示すシステム構成図である。
【図４】本発明のコンテンツの認証を行うプロセスの流れの一例を示したフローチャート図である。
【図５】バイオメトリクス情報の二値化の概念図である。
【図６】コンテンツ内のセクターにバイオメトリクス情報の二値イメージを挿入した場合の概念図である。
【図７】コンテンツをセクターに分割した場合の概念図である。
【図８】認証を行う場合の概念図である。
【図９】バイオメトリクス情報の二値イメージとセクターのパターンマッチングを行う場合の概念図である。
【図１０】バイオメトリクス情報の二値イメージの一例である。
【図１１】バイオメトリクス情報の二値イメージを分割した場合の各二値イメージの一例である。
【図１２】バイオメトリクス情報の二値イメージを分割した場合の各二値イメージの一例である。
【符号の説明】
【００８７】
１：コンテンツ管理システム
２：バイオメトリクス情報受信手段
３：バイオメトリクス情報二値化手段
４：バイオメトリクス情報書込手段
５：コンテンツ送受信手段
６：バイオメトリクス情報データベース
７：オリジナルコンテンツデータベース
８：二次コンテンツデータベース
９：コンテンツ作成者端末
１０：バイオメトリクス情報読取装置
１１：ネットワーク
１２：コンテンツ認証手段
１３：コンピュータ端末
【図１】
2005094066.tif 000003
【図２】
2005094066.tif 000004
【図３】
2005094066.tif 000005
【図４】
2005094066.tif 000006
【図５】
2005094066.tif 000007
【図６】
2005094066.tif 000008
【図７】
2005094066.tif 000009
【図８】
2005094066.tif 000010
【図９】
2005094066.tif 000011
【図１０】
2005094066.tif 000012
【図１１】
2005094066.tif 000013
【図１２】
2005094066.tif 000014
【手続補正書】
【提出日】平成16年10月12日(2004.10.12)
【手続補正１】
【補正対象書類名】手続補正書
【補正対象項目名】手続補正１
【補正方法】削除
【補正の内容】